(57)【要約】【課題】雨水等を含む排水に油が混入した場合にも、油の流出を阻止でき、かつメンテナンス性に優れた排水ピットを低コストで提供する。【解決手段】排水ピット１の流出口８Ａに油遮断装置４を設ける。油遮断装置４は、含油排水に浮き、かつ含油排水が越えない高さで含油排水表面Ｓから浮上する遮油部１０Ａを上方に有する油遮用フロート１０と、この油遮用フロート１０を排水用内壁面５Ｓ１と離れて前記流出口８Ａを全幅に亘り横切る向きで上下に案内する案内手段１１と、該油遮用フロート１０と前記排水用内壁面５Ｓ１との間隙ｇを遮断するシール片１２とからなる。【選択図】図１
2008031705.tif 000002
【特許請求の範囲】
【請求項１】
流出口を設けた排水用内壁面を有し、排水表面に油が浮く含油排水の前記油の流出を阻止する油遮断装置を設けた排水ピットであって、
前記油遮断装置は、前記含油排水に浮き、かつ該含油排水が越えない高さで含油排水表面から浮上する遮油部を上方に有するとともに前記流出口を横切る長さの油遮用フロートと、
この油遮用フロートを、前記排水用内壁面と離れて前記流出口を全幅に亘り横切る向きで上下に案内する案内手段と、
前記油遮用フロートの両側で、該油遮用フロートと前記排水用内壁面とが離れる間隙を遮断するシール片とからなり、
かつ前記シール片は、前記排水用内壁面に接しかつ前記含油排水中から該含油排水が越えない高さで配されることを特徴とする排水ピット。
【請求項２】
前記案内手段は、前記排水用内壁面と離れて平行に上下にのびかつ前記排水用内壁面に設けられる一対のガイド軸と、前記油遮用フロートに設けられかつ前記ガイド軸を遊挿するガイド孔とからなることを特徴とする請求項１記載の排水ピット。
【請求項３】
前記シール片は、前記油遮用フロートの両側に固着されかつ前記排水用内壁面に弾性を有して接するゴム弾性材からなることを特徴とする請求項１又は２記載の排水ピット。
【発明の詳細な説明】
【技術分野】
【０００１】
本発明は、含油排水からの油の流出を阻止する油遮断装置を設けた排水ピットに関する。
【背景技術】
【０００２】
例えば、工場内を流れる雨水等を含む清浄な排水においても、道路に付着した油が流されて混入する場合がある。従って近年、環境維持の観点から、このような清浄な排水を工場外に排出する場合にも、混入する油を分離して除去することが強く望まれる。
【０００３】
従来、含油排水から油を分離する手段として、図４（Ａ）、（Ｂ）のものが知られている。図４（Ａ）は、いわゆる油水分離槽ａであり、例えば隔壁ｂによって内部を複数の貯留室に区分し、含油排水が下流側の貯留室に移行する際、油ｄ１を順次分離して捕獲する。又図４（Ｂ）は、ポンプを用い、貯水槽ｅ内で上下に分離する油ｄ１と水ｄ２のうちの下層側の水ｄ２のみを汲み出して排出するものである。
【発明の開示】
【発明が解決しようとする課題】
【０００４】
ここで、雨水等を含む排水を排出する場合、降雨時には、その排出量が非常に大となる。
【０００５】
しかし、前記油水分離槽ａは、排出量に応じてその内容量を設定する必要がある。従って、雨水等を含む排水のために前記油水分離槽ａを用いる場合には、油水分離槽ａを大型化せざるを得ず、製造コストの上昇及びメンテナンス性の低下を招くという問題がある。又ポンプの場合、その排水能力に限界があるため、排出量が著しく変化する雨水等を含む排水の排出に採用することは難しい。
【０００６】
本発明は、このような状況に鑑みてなされたものであり、雨水等を含む排水に油が混入した場合にも、油を分離してその流出を阻止しうるとともに、製造コストを低減できかつ優れたメンテナンス性を発揮しうる排水ピットを提供することを目的としている。
【０００７】
【特許文献１】特開２００３−１７５３０１号公報
【課題を解決するための手段】
【０００８】
前記目的を達成するために、本願請求項１の発明は、流出口を設けた排水用内壁面を有し、排水表面に油が浮く含油排水の前記油の流出を阻止する油遮断装置を設けた排水ピットであって、
前記油遮断装置は、前記含油排水に浮き、かつ該含油排水が越えない高さで含油排水表面から浮上する遮油部を上方に有するとともに前記流出口を横切る長さの油遮用フロートと、
この油遮用フロートを、前記排水用内壁面と離れて前記流出口を全幅に亘り横切る向きで上下に案内する案内手段と、
前記油遮用フロートの両側で、該油遮用フロートと前記排水用内壁面とが離れる間隙を遮断するシール片とからなり、
かつ前記シール片は、前記排水用内壁面に接しかつ前記含油排水中から該含油排水が越えない高さで配されることを特徴としている。
【０００９】
又請求項２の発明では、前記案内手段は、前記排水用内壁面と離れて平行に上下にのびかつ前記排水用内壁面に設けられる一対のガイド軸と、前記油遮用フロートに設けられかつ前記ガイド軸を遊挿するガイド孔とからなることを特徴としている。
【００１０】
又請求項３の発明では、前記シール片は、前記油遮用フロートの両側に固着されかつ前記排水用内壁面に弾性を有して接するゴム弾性材からなることを特徴としている。
【発明の効果】
【００１１】
本発明は叙上の如く、排水が貯まる排水ピットの流出口に、油遮断装置を設けている。この油遮断装置は、含油排水表面で浮揚しうる油遮用フロートを用い、この油遮用フロートを、排水用内壁面から小距離離れた位置で前記流出口を全幅に亘って横切る向きで上下に案内していうる。しかも、油遮用フロートの両側に、この油遮用フロートと排水用内壁面との間隙を遮断するシール片を設けている。
【００１２】
前記油遮用フロートは、排水ピット内に貯まる含油排水の表面に連動して上下動でき、排水量に影響されることなく含油排水表面の油を堰き止め、前記流出口からの流出を防止しうる。このとき、油遮断装置への操作が不要であるなど、取り扱い性に優れる。又降雨時など排水量が増大した場合にも、油以外の排水は、油遮用フロートの下方を通り抜けて、流出口から容易に流出しうるため、この排水ピットを小型化できる。そしてこの排水ピットが小型であること、及び槽の構造や油遮断装置の構造が簡易であることから、製造コストを低く抑えうるとともに、メンテナンス性を高めることができる。
【発明を実施するための最良の形態】
【００１３】
以下、本発明の実施の一形態を、図示例とともに説明する。図１は本発明の排水ピットを示す斜視図、図２は油遮断装置の正面図、図３は油遮断装置を上方からみた断面図である。
【００１４】
図１に示すように、本実施形態の排水ピット１は、排水を集める貯留槽２と、この貯留槽２に設ける流出口８Ａに配される油遮断装置４とを具えて構成される。
【００１５】
前記貯留槽２は、所謂コンクリート槽であって、本例では、側壁５と底壁６とで周囲を囲む上開放の矩形容器状をなし、その上面は着脱自在な蓋体（図示しない）によって保護される。又前記側壁５には、雨水等を含む排水が流れ込む１本以上、通常複数本の流入管７と、流入する排水を排出する１本の流出管８とが連結される。なお前記流入管７、流出管８は、それぞれ前記側壁５の内壁面５Ｓに設ける流入口７Ａ、流出口８Ａで開口している。ここで、降雨時などにおいて各流入口７Ａから流れ込む多量の排水が、貯留槽２から溢れ出さないよう、前記流出口８Ａを、前記流入口７Ａに比して大径に形成しその排出能力を高めている。又降雨時には、例えば道路に付着した油が流されて排水に混入する場合があり、排水のうちで油が混入したものを含油排水と呼ぶ。又前記内壁面５Ｓのうちで流出口８Ａが設けられたものを排水用内壁面５Ｓ１と呼ぶ。
【００１６】
次に、前記油遮断装置４は、含油排水に浮く油遮用フロート１０と、この油遮用フロート１０を前記排水用内壁面５Ｓ１から離間させて上下に案内する案内手段１１と、該油遮用フロート１０と前記排水用内壁面５Ｓ１の間隙ｇを遮断するシール片１２とを具える。
【００１７】
前記油遮用フロート１０は、図２、３に示すように，前記流出口８Ａを横切る長さ、即ち前記流出口８Ａの最大横幅Ｄを越える長さを有する横長の長寸体であり、本例では、浮揚バランスを安定化するため断面矩形状に形成している。又油遮用フロート１０は、前記含油排水が越えない高さで含油排水表面Ｓから浮上する遮油部１０Ａを上方に有する。言い換えると、油遮用フロート１０は、その上方部が含油排水表面Ｓから浮上でき、この浮上部分を前記遮油部１０Ａと呼ぶ。又前記遮油部１０Ａの上端の前記含油排水表面Ｓからの浮上高さＨ１は、含油排水がこの遮油部１０Ａを乗り越えできない高さとすることが必要であり、具体的には２５０ｍｍ以上、さらには２６０ｍｍ以上が好ましい。しかし浮上高さＨ１が高すぎると、浮揚バランスを損ねる傾向となり、従って浮上高さＨ１の上限は３００ｍｍ以下が好ましい。
【００１８】
又本発明では、油遮用フロート１０の材質などは特に規制されないが、耐久性、浮揚の信頼性などの観点から、例えば発泡スチロールなど独立気泡の発泡質体からなるフロート本体１３と、ステンレスなどの耐腐食性金属およびポリエチレンなどの耐腐食性合成樹脂などからなり前記フロート本体１３の少なくとも底面及び側面を被覆保護する箱状の外枠部１４とにより形成するのが好ましい。なお発泡質体のフロート本体１３を用いることにより、外枠部１４内への浸水による沈没を抑制でき浮揚の信頼性を確保しうる。
【００１９】
次に前記案内手段１１は、前記油遮用フロート１０を前記流出口８Ａを全幅に亘り横切る向きで上下に案内する。本例では、案内手段１１が、前記排水用内壁面５Ｓ１とは離れて上下にかつ平行にのびる一対のガイド軸１５、１５と、前記油遮用フロート１０に設けられかつ前記ガイド軸１５を遊挿するガイド孔１６とから形成される場合を例示する。なお前記ガイド軸１５、１５は、前記流出口８Ａの両外側を通って上下にのび、その上端部および下端部は、取付金具１７を介して前記排水用内壁面５Ｓ１に固定される。又前記ガイド孔１６は、前記油遮用フロート１０の長さ方向両外側面１０Ｓに固定する円筒状の案内筒１８の中心孔によって形成される。従って、前記油遮用フロート１０は、前記排水用内壁面５Ｓ１との間隙ｇを一定に保ちながら、含油排水表面Ｓに追従して自在に上下動しうる。
【００２０】
次に、前記シール片１２は、ゴム弾性材からなる板状体からなり、その一端部が前記油遮用フロート１０の外側面１０Ｓに固着される。又シール片１２の他端部は、このシール片１２の弾性曲げ変形により前記排水用内壁面５Ｓ１と圧接しうる。従って、前記上下動に際しても、前記間隙ｇを遮断しうる。なおシール片１２の摩耗損傷、および排水用内壁面５Ｓ１とのシール性の観点から前記排水用内壁面５Ｓ１を円滑面で形成するのが好ましい。
【００２１】
ここで、前記シール片１２は、含油排水中からのび、しかも前記遮油部１０Ａと同様に前記含油排水が乗り越えできない高さまで立ち上がることが必要であり、これにより、前記油遮用フロート１０と協働して、浮遊する油を流出口８Ａの前面で堰き止めでき、該油の流出を防止しうる。なお前記シール片１２の上端の含油排水表面Ｓからの高さＨ２は、前記浮上高さＨ１と同様、２５０ｍｍ以上、さらには２６０ｍｍ以上が好ましく、特にシール片１２の上端と油遮用フロート１０の上端と整一させる、即ちＨ１＝Ｈ２とするのがより好ましい。
【００２２】
又前記油遮用フロート１０の喫水深さが浅すぎると、含油排水表面Ｓが波打つ際、浮遊する油が油遮用フロート１０の下端およびシール片１２の下端をくぐり抜ける恐れがあり、従って、シール片１２の下端、および油遮用フロート１０の下端の含油排水表面Ｓからの深さＬ１、Ｌ２は、それぞれ５０ｍｍ、以上、さらには６０ｍｍ以上であるのが好ましく、特に各下端を整一する、即ちＬ１＝Ｌ２とするのがより好ましい。なお深さＬ１、Ｌ２の上限は、流過抵抗の観点から７０ｍｍ以下が望ましい。
【００２３】
なお前記油遮断装置４によって堰き止められ、貯留槽２内に留まる油は、適当な時期に、ポンプ等によって回収され処理される。
【００２４】
又図１中の符号３０は、緊急用の排出管であり、降雨量が多く流出口８Ａからの排出では追いつかない場合、ポンプを作動し、貯留槽２の底面近傍で開口する前記排出管３０から排水を緊急的に排出する。
【００２５】
又降雨時以外においては、排水中に油が混入しない場合が多い。従って、常時は前記油遮用フロート１０を排水表面Ｓから引き上げて保持し、降雨時のみ前記油遮用フロート１０を下ろして排水表面に浮揚させても良い。
【００２６】
以上、本発明の特に好ましい実施形態について詳述したが、本発明は図示の実施形態に限定されることなく、種々の態様に変形して実施しうる。
【図面の簡単な説明】
【００２７】
【図１】本発明の排水ピットの一実施例を示す斜視図である。
【図２】油遮断装置の正面図である。
【図３】油遮断装置を上方からみた断面図である。
【図４】（Ａ）、（Ｂ）は、背景技術を説明する略面である。
【符号の説明】
【００２８】
１      排水ピット
４      油遮断装置
５Ｓ１  排水用内壁面
８Ａ    流出口
１０    油遮用フロート
１０Ａ  遮油部
１１    案内手段
１２    シール片
１５    ガイド軸
１６    ガイド孔
ｇ      間隙
Ｓ      含油排水表面
【図１】
2008031705.tif 000003
【図２】
2008031705.tif 000004
【図３】
2008031705.tif 000005
【図４】
2008031705.tif 000006